(57)【特許請求の範囲】
【請求項１】
対物レンズと、
対物レンズを移動可能に保持するアクチュエータと、
前記アクチュエータを対物レンズの中心近傍を通る光軸に対して傾動可能に保持する基台部と、
前記アクチュエータと基台部とを搭載する架台と、
前記架台において一体に立設する断面形状で、かつ光ディスクの半径方向に沿うように延設され、前記基台部を光ディスクの半径方向にガイドする第１のガイド部と、
前記架台において一体に立設する断面形状で、かつ光ディスクの半径方向に沿うように延設され、前記基台部を光ディスクの半径方向にガイドする第２のガイド部と、
前記基台部に一体に設けられ、前記第１のガイド部と係合して光ディスクの半径方向に摺動する第１の係合部と、
前記基台部に一体に設けられ、前記第２のガイド部と係合して光ディスクの半径方向に摺動する第２の係合部と、
前記基台部をコンパクトディスクの半径方向に往復駆動するための駆動手段とを備え、
前記架台に設けた第１のガイド部の端部および第２のガイド部の端部に第１の係合部および第２の係合部が臨むように基台部を位置させてコンパクトディスクの半径方向に沿って移動させることで、基台部に設けた第１の係合部および第２の係合部が第１のガイド部および第２のガイド部に係合するように組み込み可能に構成したことを特徴とする光ピックアップ装置。
【請求項２】
それぞれ光ピックアップ装置に用いられる、
アクチュエータを傾動可能に保持する基台部と、
アクチュエータと基台部とを搭載する架台と、
前記架台において立設する断面形状で、かつ光ディスクの半径方向に沿うように延設され、前記基台部を光ディスクの半径方向にガイドする第１のガイド部と、
前記架台において立設する断面形状で、かつ光ディスクの半径方向に沿うように延設され、前記基台部を光ディスクの半径方向にガイドする第２のガイド部と、
前記基台部に設けられ、前記第１のガイド部と係合して光ディスクの半径方向に摺動する第１の係合部と、
前記基台部に設けられ、前記第２のガイド部と係合して光ディスクの半径方向に摺動する第２の係合部とを、
製造する方法であって、
前記第１のガイド部および前記第２のガイド部を設けた前記架台と、前記第１の係合部および前記第２の係合部を設けた基台部との全てを、同一金型を用いて一体的に形成し、この後、前記架台と前記基台部とを分離して、第１のガイド部および第２のガイド部が一体形成された架台と、第１の係合部および第２の係合部が一体形成された基台部とを得ることを特徴とする光ピックアップ装置用部品の製造方法。
【請求項３】
第１のガイド部および第２のガイド部を設けた架台と、第１の係合部および第２の係合部を設けた基台部との全てを、樹脂材料により同一金型を用いて成形することを特徴とする請求項２記載の光ピックアップ装置用部品の製造方法。
【請求項４】
第１のガイド部および第２のガイド部を設けた架台と、第１の係合部および第２の係合部を設けた基台部との全てを、板金材料により同一金型を用いて形成することを特徴とする請求項２記載の光ピックアップ装置用部品の製造方法。
【発明の詳細な説明】
【０００１】
【発明の属する技術分野】
本発明はコンパクトディスクプレーヤ等の光学的記録再生装置に用いられる光ピックアップ装置に関するものである。
【０００２】
【従来の技術】
コンパクトディスクには内周から外周まで連続して信号が記録されており、回転するコンパクトディスクから信号を連続して再生するためには、光ピックアップ装置に搭載された光ピックアップを、架台上においてコンパクトディスクの半径方向に往復移動可能に構成しなければならない。そのために架台上には光ピックアップをコンパクトディスクの半径方向に案内するガイド部が設けられ、光ピックアップにはガイド部と係合して摺動可能な係合部を設けている。また、架台上には光ピックアップをガイド部に沿って往復駆動するための駆動手段を設けており、この光ピックアップ装置は図７〜図８に示すように構成されている。
【０００３】
図７、図８において、２０は光ピックアップ、５は光ピックアップ２０をコンパクトディスクの半径方向に駆動するための駆動手段（駆動軸部分を図７において図示している）、４は架台、１０は光ピックアップ２０に設けたラック、６，７は駆動手段５からラック１０へ駆動力を減速伝達するための中継ギヤである。２３は架台４上に設けた保持部２５，２６により保持されたガイド軸であり、固定ビス２７により固定保持されている。架台４上のガイド軸２３と平行に対向する位置にガイド部２４を設けている。光ピックアップ２０に設けた係合部２１にガイド軸２３が貫通しており、また、光ピック２０に設けた係合部２２がガイド部２４と係合するように構成されている。
【０００４】
このような構成において、サーボ回路（図示せず）によりコントロールされた駆動手段５により中継ギヤ６，７を介して光ピックアップ２０はコンパクトディスクの半径方向に往復移動され、コンパクトディスク上に記録された信号を再生することが可能となる。
【０００５】
【発明が解決しようとする課題】
近年、コンパクトディスクの再生装置には更なるローコスト化と高信頼性が望まれている。このコンパクトディスク再生装置の中でも特に大きなコストウエイトを占める光ピックアップ装置においてローコストタイプが必要となっている。
【０００６】
しかしながら、従来の光ピックアップ装置においてはガイド軸２３が光ピックアップ２０に設けた係合部２１を貫通させる構造であるため、組立の際に、まずガイド軸２３が係合部２１に貫通した状態でこのガイド軸２３を、架台４上に設けた保持部２５，２６に組み込み、さらに固定ビス２７で保持部２５を取り付けて架台４に固定保持している。このような構成においては、光ピックアップ２０に設けた係合部２１を案内する構成として、保持部２５，２６が設けられている架台４の他に、ガイド軸２３と固定ビス２７が必要であるため、部品点数が多く、また組立工程が複雑であり、ローコストの光ピックアップ装置を供給することが困難であるという問題点を有していた。
【０００７】
本発明は上記問題点を解決するもので、部品点数の削減と同時に作業性を向上させ、コストの低減と品質の向上を可能にする光ピックアップ装置を提供することを目的としてなされたものである。
【０００８】
【課題を解決するための手段】
上記問題点を解決するために本発明の光ピックアップ装置は、対物レンズと、対物レンズを移動可能に保持するアクチュエータと、前記アクチュエータを対物レンズの中心近傍を通る光軸に対して傾動可能に保持する基台部と、前記アクチュエータと基台部とを搭載する架台と、前記架台において立設する断面形状で、かつ光ディスクの半径方向に沿うように延設され、前記基台部を光ディスクの半径方向にガイドする第１のガイド部と、前記架台において立設する断面形状で、かつ光ディスクの半径方向に沿うように延設され、前記基台部を光ディスクの半径方向にガイドする第２のガイド部と、前記基台部に設けられ、前記第１のガイド部と係合して光ディスクの半径方向に摺動する第１の係合部と、前記基台部に設けられ、前記第２のガイド部と係合して光ディスクの半径方向に摺動する第２の係合部と、前記基台部をコンパクトディスクの半径方向に往復駆動するための駆動手段とを備え、前記架台に設けた第１のガイド部の端部および第２のガイド部の端部に第１の係合部および第２の係合部が臨むように基台部を位置させてコンパクトディスクの半径方向に沿って移動させることで、基台部に設けた第１の係合部および第２の係合部が第１のガイド部および第２のガイド部に係合するように組み込み可能に構成したことを特徴とするものである。
【０００９】
これにより、部品点数の削減と同時に作業性を向上させ、コストの低減と品質の向上を可能にする光ピックアップ装置を提供することができる。
【００１０】
【発明の実施の形態】
請求項１記載の本発明の光ピックアップ装置は、対物レンズと、対物レンズを移動可能に保持するアクチュエータと、前記アクチュエータを対物レンズの中心近傍を通る光軸に対して傾動可能に保持する基台部と、前記アクチュエータと基台部とを搭載する架台と、前記架台において一体に立設する断面形状で、かつ光ディスクの半径方向に沿うように延設され、前記基台部を光ディスクの半径方向にガイドする第１のガイド部と、前記架台において一体に立設する断面形状で、かつ光ディスクの半径方向に沿うように延設され、前記基台部を光ディスクの半径方向にガイドする第２のガイド部と、前記基台部に一体に設けられ、前記第１のガイド部と係合して光ディスクの半径方向に摺動する第１の係合部と、前記基台部に一体に設けられ、前記第２のガイド部と係合して光ディスクの半径方向に摺動する第２の係合部と、前記基台部をコンパクトディスクの半径方向に往復駆動するための駆動手段とを備え、前記架台に設けた第１のガイド部の端部および第２のガイド部の端部に第１の係合部および第２の係合部が臨むように基台部を位置させてコンパクトディスクの半径方向に沿って移動させることで、基台部に設けた第１の係合部および第２の係合部が第１のガイド部および第２のガイド部に係合するように組み込み可能に構成したことを特徴とするものである。
【００１１】
この構成により、第１のガイド部および第２のガイド部を架台に設けたままの状態で、基台部を組み込むことができるので、組み付け工程が容易化される。
【００１２】
また、部品点数が削減されるとともに、第１のガイド部および第２のガイド部を架台に取り付ける工程が不要となり、さらに組付け工程が容易化される。
【００１３】
請求項２記載の本発明にかかる光ピックアップ装置用部品の製造方法は、それぞれ光ピックアップ装置に用いられる、アクチュエータを傾動可能に保持する基台部と、アクチュエータと基台部とを搭載する架台と、前記架台において立設する断面形状で、かつ光ディスクの半径方向に沿うように延設され、前記基台部を光ディスクの半径方向にガイドする第１のガイド部と、前記架台において立設する断面形状で、かつ光ディスクの半径方向に沿うように延設され、前記基台部を光ディスクの半径方向にガイドする第２のガイド部と、前記基台部に設けられ、前記第１のガイド部と係合して光ディスクの半径方向に摺動する第１の係合部と、前記基台部に設けられ、前記第２のガイド部と係合して光ディスクの半径方向に摺動する第２の係合部とを、製造する方法であって、前記第１のガイド部および前記第２のガイド部を設けた前記架台と、前記第１の係合部および前記第２の係合部を設けた基台部との全てを、同一金型を用いて一体的に形成し、この後、前記架台と前記基台部とを分離して、第１のガイド部および第２のガイド部が一体形成された架台と、第１の係合部および第２の係合部が一体形成された基台部とを得ることを特徴とするものである。
【００１４】
この方法により、第１のガイド部および前記第２のガイド部を設けた架台と、第１の係合部および第２の係合部を設けた基台部との全てを、同一金型を用いて一度に形成することができ、生産効率が良好となる。この場合に、製造原料として樹脂材料を用いて同一金型を用いて成形したり、板金材料により同一金型を用いて形成したりするとよい。
【００１５】
以下、本発明の実施の形態にかかる光ピックアップ装置について図面に基づいて詳細に説明する。
（実施の形態１）
図１、図２は本発明の第１の実施の形態における光ピックアップ装置の構成を示し、図１は架台に光ピックアップを組み込んだ状態を示す斜視図、図２は同正面図、図３は同側面図、図４は駆動経路を示した正面図である。なお、従来のものとほぼ同機能のものには同符号を付す。
【００１６】
図１〜図４において、１は光ディスクとしてのコンパクトディスクに記録された信号を再生するために対物レンズ２を可動に構成したアクチュエータ、３は対物レンズ２の中心近傍を通過する光軸に対してアクチュエータ１を傾動可能に保持する基台部、４はアクチュエータ１を保持する基台部３と駆動手段５と中継ギヤ６，７とを搭載する架台、５は基台部３をコンパクトディスクの半径方向に往復駆動するための駆動手段、１３はコンパクトディスクを回転させるターンテーブルである。
【００１７】
架台４には、この架台４において単独で立設する断面形状で、かつコンパクトディスクの半径方向に沿うように延設され、基台部３をコンパクトディスクの半径方向にガイドする第１のガイド部８と、架台４において単独で立設する断面形状で、かつコンパクトディスクの半径方向に沿うように延設され、基台部３をコンパクトディスクの半径方向にガイドする第２のガイド部９とが、互いに対向するように平行に設けられている。基台部３にはラック１０が取り付けられる。第１のガイド部８は、その上部側に位置する断面矩形状の摺動部８ａが、基台部３に設けた第１の係合部１１における上下左右の内壁１１ａ〜１１ｄと摺動可能に係合し、第２のガイド部９は、その上部側に位置する断面矩形状の摺動部９ａが、基台部３に設けた第２の係合部１２における上下の内壁１２ａ、１２ｂと摺動可能に係合し、アクチュエータ１を保持した基台部３が架台４上をコンパクトディスクの半径方向に移動可能なように構成している。
【００１８】
以上のように構成した光ピックアップ装置について以下その動作について説明する。
このような構成において、サーボ回路（図示せず）によりコントロールされたモータ等の駆動手段５が駆動されると、この駆動手段５から得られる動力が中継ギヤ６，７を介して減速されながら、基台部３に設けたラック１０に伝えられることにより、アクチュエータ１を保持した基台部３が第１のガイド部８および第２のガイド部９に沿ってコンパクトディスクの半径方向に往復移動される。
【００１９】
このときの第１のガイド部８と第１の係合部１１との係合関係は、図２、図３に示すように、基台部３のコンパクトディスク面に対して垂直な方向については、第１の係合部１１に設けた内壁１１ａ、１１ｂと第１のガイド部８の摺接部８ａとが当接し、かつ第２の係合部１２に設けた内壁１２ａ、１２ｂが第２のガイド部９の摺接部９ａに当接することにより規制される。さらに基台部３のコンパクトディスクの円周方向に対する規制は、第１の係合部１１に設けた内壁１１ｃ、１１ｄにより行っている。
【００２０】
そして、基台部３を架台４に組み込む際には、第１のガイド部８の端部８ｂや第２のガイド部９の端部９ｂに、第１の係合部１１および第２の係合部１２が臨むように基台部３を位置させて臨むように配置して、この位置から、基台部３をコンパクトディスクの半径方向に沿って移動させることで、容易に基台部３を架台４に組み込むことができる。
【００２１】
すなわち、第１のガイド部８および第２のガイド部９はそれぞれ架台４に対して自立する構造であり、第１のガイド部８の端部８ｂや第２のガイド部９の端部９ｂに他の部品が設けられておらず、第１の係合部１１および第２の係合部１２を挿入して組み込むことができるため、従来のように、まずガイド軸を係合部に貫通させた状態でガイド軸を架台上に設けた保持部に組み込み、さらに固定ビスで保持部を取り付けるなどの手間を要することなく、アクチュエータ１を保持した基台部３を架台４に容易に組み込むことができる。
【００２２】
ここで、第１のガイド部８および第２のガイド部９を架台４と一体形成することにより、部品点数が削減されて、ローコストとなるとともに、第１のガイド部８および第２のガイド部９を架台４に取り付ける工程が不要となり、さらに組み付け工程が容易化され、作業能率が向上するとともに品質が安定する。しかし、これに限るものではなく、第１のガイド部８および第２のガイド部９を別部品として貼り付けたりすることも可能であり、この場合においても、組み込みが容易である利点がある。
【００２３】
（実施の形態２）
図５、図６は本発明の第２の実施の形態における光ピックアップ装置用部品の製造方法にかかる基材部品の正面図および側面図を示す。
【００２４】
図５、図６に示すように、第１のガイド部８および第２のガイド部９を設けた架台４と、第１の係合部１１および第２の係合部１２を設けた基台部３との２つの部品が、同一金型を用いて一体的に形成される。そして、このようにして製造した基材部品１５を切断線１６で切断して架台４と基台部３とに分離することで、第１のガイド部８および第２のガイド部９が一体形成された架台４と、第１の係合部１１および第２の係合部１２が一体形成された基台部３とを得る。
【００２５】
この場合に、製造原料としては、図５に示すように、樹脂材料により同一金型を用いて成形すればよいが、これに限るものではなく、図６に示すように、板金材料により同一金型を用いて形成することも可能である。
【００２６】
これにより、架台４と基台部３とを１つの部品として少ない製造工程で製造できるため、製造コストをさらに低減させることができる。
【００２７】
【発明の効果】
以上のように本発明によれば、架台においてそれぞれ独自で立設する第１のガイド部と第２のガイド部とを設け、これらのガイド部に対して、基台部に設けた第１および第２の係合部を係合させて摺動自在に構成したため、ガイド部を固定した架台に、光ピックアップを取り付けた基台部を直接組み込むことができて、組み付け工程が容易化され、作業能率が向上する。また、第１のガイド部および第２のガイド部を架台と一体形成することで部品点数が削減されて製造コストが低減されるとともに品質の向上も可能となる。
【図面の簡単な説明】
【図１】本発明の第１の実施の形態における架台に光ピックアップを組み込んだ状態を示す光ピックアップ装置の斜視図
【図２】同光ピックアップ装置の正面図
【図３】同光ピックアップ装置の側面図
【図４】同光ピックアップ装置の駆動経路を示す正面図
【図５】本発明の第２の実施の形態における光ピックアップ装置の正面図
【図６】本発明のその他の実施の形態における光ピックアップ装置の側面図
【図７】従来の光ピックアップ装置の正面図
【図８】従来の光ピックアップ装置の斜視図
【符号の説明】
１        アクチュエータ
２        対物レンズ
３        基台部
４        架台
８        第１のガイド部
９        第２のガイド部
８ａ、９ａ        摺動部
１１ａ〜１１ｄ、１２ａ、１２ｂ    内壁
１５      基材部品
【図１】
0003556096.tif 000002
【図２】
0003556096.tif 000003
【図３】
0003556096.tif 000004
【図４】
0003556096.tif 000005
【図５】
0003556096.tif 000006
【図６】
0003556096.tif 000007
【図７】
0003556096.tif 000008
【図８】
0003556096.tif 000009